(57)【要約】      （修正有）【課題】電動での扇風又は手で扇ぐ優しい風にミストを乗せ涼しい風になると共に、携帯の際には収納し易い形状にできる団扇形ミスト付携帯扇風機を提供する。【解決手段】中空で円筒状の前記把持体１００と、該把持体１００の内部から前記羽根４００を回動させる駆動部２００と、該駆動部２００を駆動させる電源部３００を備える。さらに、ミストを噴霧するミスト部５００と、周壁に取り付けた団扇部６００とからなり、該団扇部６００は、把持体１００と着脱自在となる取付手段を用いて団扇形ミスト付携帯扇風機を構成する。【選択図】図２
0003175612.tif 000002
【実用新案登録請求の範囲】
【請求項１】
把持体の外部に回動する羽根と手で扇ぐ団扇を設け、内部からミストを噴霧して冷気を送風する団扇形ミスト付携帯扇風機であって、
中空で円筒状の前記把持体と、該把持体の内部から前記羽根を回動させる駆動部と、該駆動部を駆動させる電源部と、ミストを噴霧するミスト部と、周壁に取り付けた団扇部とからなり、該団扇部は、把持体と着脱自在となる取付手段を用いて構成したことを特徴とする団扇形ミスト付携帯扇風機。
【請求項２】
取付手段は、把持体の周壁に対称に設けた団扇着脱磁石と、その団扇着脱磁石に磁着する団扇部の団扇円端磁石とを形成して構成したことを特徴とする請求項１に記載の団扇形ミスト付携帯扇風機。
【請求項３】
取付手段は、把持体の周壁に対称に設けた蟻溝部と、その蟻溝部に挿着する団扇部の挿着部とを形成して構成したことを特徴とする請求項１に記載の団扇形ミスト付携帯扇風機。
【請求項４】
取付手段は、把持体の周壁に対称に設けた凹部板と、その凹部板に嵌着する団扇部の突起板とを形成して構成したことを特徴とする請求項１に記載の団扇形ミスト付携帯扇風機。
【請求項５】
団扇部は、その団扇面を広告等に利用できることを特徴とする請求項１〜４のいずれかに記載の団扇形ミスト付携帯扇風機。
【請求項６】
中空で円筒状の前記把持体と、該把持体の内部から前記羽根を回動させる駆動部と、該駆動部を駆動させる電源部と、ミストを噴霧するミスト部と、周壁に取り付けた団扇部とからなり、該団扇部と前記把持体とを一体で構成したことを特徴とする団扇形ミスト付携帯扇風機。
【考案の詳細な説明】
【技術分野】
【０００１】  本考案は団扇形ミスト付携帯扇風機に関する。
【背景技術】
【０００２】  実用新案登録第３０８８１８３号公報には、本体容器（１２）に水を入れ、電池部（９）を電源とする駆動部（８）により回転翼（２）を回動させ、前記本体容器（１２）の上部に設けたスプレー頭部（５）の引き金（６）を引くことで、本体容器（１２）の水が霧状として噴霧され、前記回転翼（２）の回動で冷気を送風するウォータースプレーファンが提供されている（特許文献１）。
【先行技術文献】
【特許文献】
【０００３】
【特許文献１】  実用新案登録第３０８８１８３号公報
【考案の概要】
【考案が解決しようとする課題】
【０００４】  また特許文献１に示すウォータースプレーファンの場合、本体容器（１２）の形状が大きいので、ミストを自身に向けて受け難いことや携帯し難い問題がある。【０００５】  そこで本考案は上記従来技術の問題を解消し、電動での扇風又は手で扇ぐ優しい風にミストを乗せ涼しい風になると共に、携帯の際には団扇を取り外して収納し易くなる団扇形ミスト付携帯扇風機の提供を課題とする。
【課題を解決するための手段】
【０００６】  上記課題を達成するため本考案の団扇形ミスト付携帯扇風機は、把持体の外部に回動する羽根と手で扇ぐ団扇を設け、内部からミストを噴霧して冷気を送風する団扇形ミスト付携帯扇風機であって、
中空で円筒状の前記把持体と、該把持体の内部から前記羽根を回動させる駆動部と、該駆動部を駆動させる電源部と、ミストを噴霧するミスト部と、周壁に取り付けた団扇部とからなり、該団扇部は、把持体と着脱自在となる取付手段を用いて構成したことを第１の特徴としている。
また本考案の団扇形ミスト付携帯扇風機は、取付手段は、把持体の周壁に対称に設けた団扇着脱磁石と、その団扇着脱磁石に磁着する団扇部の団扇円端磁石とを形成して構成したことを第２の特徴としている。
また本考案の団扇形ミスト付携帯扇風機は、取付手段は、把持体の周壁に対称に設けた蟻溝部と、その蟻溝部に挿着する団扇部の挿着部とを形成して構成したことを第３の特徴としている。
また本考案の団扇形ミスト付携帯扇風機は、取付手段は、把持体の周壁に対称に設けた凹部板と、その凹部板に嵌着する団扇部の突起板とを形成して構成したことを第４の特徴としている。
そして本考案の団扇形ミスト付携帯扇風機は、団扇部は、その団扇面を広告等に利用できることを第５の特徴としている。
そして本考案の団扇形ミスト付携帯扇風機は、中空で円筒状の前記把持体と、該把持体の内部から前記羽根を回動させる駆動部と、該駆動部を駆動させる電源部と、ミストを噴霧するミスト部と、周壁に取り付けた団扇部とからなり、該団扇部と前記把持体とを一体で構成したことを第６の特徴としている。
【考案の効果】
【０００７】  請求項１に記載の団扇形ミスト付携帯扇風機によれば、把持体の外部に回動する羽根と手で扇ぐ団扇を設け、内部からミストを噴霧して冷気を送風する団扇形ミスト付携帯扇風機であって、
中空で円筒状の前記把持体と、該把持体の内部から前記羽根を回動させる駆動部と、該駆動部を駆動させる電源部と、ミストを噴霧するミスト部と、周壁に取り付けた団扇部とからなり、該団扇部は、把持体と着脱自在となる取付手段を用いて構成したので、
これにより小型軽量で携帯を可能とし、電動での風と手動で団扇部を扇げば優しい風を得られるようになり、更にミストを噴霧することで更に涼しい風を得ることできる。また団扇部の着脱が自在になるので取り替えが自由に出来ると共に、携帯の際には、団扇部と把持体を取り外すことで小さく収納することができる。【０００８】  また請求項２に記載の団扇形ミスト付携帯扇風機によれば、請求項１に記載の構成による作用効果に加えて、請求項２に記載の構成による作用効果に加えて、取付手段は、把持体の周壁に対称に設けた団扇着脱磁石と、その団扇着脱磁石に磁着する団扇部の団扇円端磁石とを形成して構成したので、これにより強力な磁力によって団扇部を把持体に固定することができる。【０００９】  また請求項３に記載の団扇形ミスト付携帯扇風機によれば、請求項１に記載の構成による作用効果に加えて、取付手段は、把持体の周壁に対称に設けた蟻溝部と、その蟻溝部に挿着する団扇部の挿着部とを形成して構成したので、これにより蟻溝部と挿着部との係合によって団扇部を把持体に固定することができる。【００１０】  また請求項４に記載の団扇形ミスト付携帯扇風機によれば、請求項１に記載の構成による作用効果に加えて、取付手段は、把持体の周壁に対称に設けた凹部板と、その凹部板に嵌着する団扇部の突起板とを形成して構成したので、これにより凹部板と突起板との嵌着によって団扇部を把持体に固定することができる。【００１１】  また請求項５に記載の団扇形ミスト付携帯扇風機によれば、請求項１〜４のいずれかに記載の構成による作用効果に加えて、団扇部は、その団扇面を広告等に利用できるよう構成されるので、これにより企業や団体などの広告販促商品や、キャンペーンＰＲなどに用いることができる。【００１２】  また請求項６に記載の団扇形ミスト付携帯扇風機によれば、中空で円筒状の前記把持体と、該把持体の内部から前記羽根を回動させる駆動部と、該駆動部を駆動させる電源部と、ミストを噴霧するミスト部と、周壁に取り付けた団扇部とからなり、該団扇部と前記把持体とを一体で構成したので、これによって電動での扇風を得たり、また電池が消耗したり、優しい風を得たい時は団扇部を利用して扇げばよく、更にミストを噴霧することで更に涼しい風を得ることできる。
【図面の簡単な説明】
【００１３】
【図１】本考案の実施形態に係る団扇形ミスト付携帯扇風機を示す正面図である。
【図２】本考案の実施形態に係る団扇形ミスト付携帯扇風機の内部構成を示すＡ−Ａ線断面図である。
【図３】本考案の取付手段である団扇着脱磁石と団扇円端磁石とを示す斜視図である。
【図４】本考案の取付手段である蟻溝部と挿着部とを示す斜視図である。
【図５】本考案の取付手段である凹部板と突起板とを示す斜視図である。
【図６】本考案の把持部内設のミストノズルの噴射角度と距離を示す側面図である。
【考案を実施するための最良の形態】
【００１４】  図１、図２を参照して、本考案の団扇形ミスト付携帯扇風機１は、把持体１００と、駆動部２００と、電源部３００、羽根４００と、ミスト部５００と、団扇部６００とからなり、
該団扇部６００は、把持体１００と着脱自在となる取付手段６１０、１１０を用いて構成している。【００１５】  図２を参照して、把持体１００は、中空で円筒状の形状となり、その材質をプラスチックで構成されている。
把持体１００は、上方正面にミスト噴霧孔１０１と、下方内部に水槽１０２と、その水槽１０２に挿着する給水蓋１０３と、前記羽根４００を回動させる回動スイッチ１０４を設けて構成している。
把持部１００は、前記駆動部２００を頭部正面に突出して設け、その先端に羽根４００を回動できるよう取り付けて構成している。
把持部１００は、背部上方に前記電源部３００を設け、前記駆動部２００と接続して構成している。
把持部１００は、下方内部に形成した水槽１０２に前記ミスト部５００を取り付け、前記ミスト噴霧孔１０１からミストを噴霧することができる。
把持部１００は、前記団扇部６００と一体で構成することもできる。【００１６】  ミスト噴霧孔１０１は、その形状を略楕円形に形成され、後述のミストポンプレバー５１０のミストノズル５１２が上下移動する際に当たらないようスペースが設けられる。【００１７】  水槽１０２は、前記把持部１００の下端から給水するようにし、給水の後に挿着して開閉できる給水蓋１０３を取り付けている。【００１８】  回動スイッチ１０４は、前記電源部３００と接続された回動スイッチ１０４を、上下に操作することで前記羽根４００の回動の入り切りができるようにしている。【００１９】  把持体１００は、前記団扇部６００を着脱自在とする取付手段を用いて構成している。
図３を参照して、取付手段１１０は、把持体１００の周壁で対称の団扇着脱磁石１２０を設けて構成している。これにより前記団扇部６００の後述する団扇円端磁石６２０と強力な磁力によって着脱自在に固着することができる。これにより前記把持体１００と前記団扇部６００とを取り外すことができ、コンパクトでスリムな形状となって携帯に有用になる。
そして団扇着脱磁石１２０は、前記電源部３００の後述する電池ホルダー３１１が被着して固着するように構成している。【００２０】  図４を参照して、取付手段１１０は、把持体１００の周壁で対称の蟻溝部を形成して構成している。これにより前記団扇部６００の後述する挿着部６３０と係合させて着脱自在で固着することができる。【００２１】  図５も参照して、取付手段１１０は、把持体１００の周壁で対称の凹部板１４０を形成して構成している。これにより前記団扇部６００の後述する突起板６４０と嵌着させて着脱自在で固着することができる。【００２２】  駆動部２００は、前記羽根４００を回動させるモーター２０１で構成される。【００２３】  モーター２０１は、前記羽根４００と軸着する回動軸２０２を形成している。
モーター２０１は、前記電源部３００である乾電池３１０と接続して構成される。【００２４】  電源部３００は、モーター２０１と接続する乾電池３１０で構成される。【００２５】  乾電池３１０は、前記把持部１００の上方背部に形成した電池ホルダー３１１に嵌着し、電池蓋３１２で被着して取り付けられる。【００２６】  羽根４００は、その素材を高密度ウレタン等を用いて軟らかい羽根にしている。これにより回動時に手に触れても怪我をせず、安心な羽根として有用となる。
羽根４００は、通常、２枚羽根を用いているが、３枚乃至４枚羽根も取り付けることができる。これによりスムーズで静かな風を送ることができる。【００２７】  ミスト部５００は、前記水槽１０２の水を吸い上げてミストを噴霧するミストポンプレバー５１０で構成される。【００２８】  ミストポンプレバー５１０は、中間位置に設けたレバー部５１１が前記把持部１００の側壁に出るように構成され、前記レバー部５１１を押下することでミストポンプレバー５１０が、前記把持部１００の下方内部に形成した水槽１０２の水を吸い上げ、前記把持体１００のミスト噴霧孔１０１に突出するミストノズル５１２からミストを噴霧するよう形成している。【００２９】  図６も参照して、ミストノズル５１２は、その噴霧角度を１０度Ａ上向きに設定して、ミストノズル５１２からの噴霧距離を約１０センチＤ前方に噴霧することで、前記羽根４００の前方中心にミストＭが噴霧されるよう構成している。これにより羽根４００の回転する風にミストＭが混在し易く、涼しい風を得ることが出来る。
またミストＭのみで使用しても便利である。【００３０】  団扇部６００は、団扇面６０１の材質において、紙、ボール紙、プラスチック等を用いて形成されることが好ましい。
団扇部６００は、前記把持体１００と着脱自在となる取付手段６１０を用いている。【００３１】  図３を参照して、取付手段６１０は、左右対称に欠切された団扇円端の両方に団扇円端磁石６２０を取り付けて構成している。これにより通常は磁石と鉄板の組み合わせを用いられるが、団扇円端磁石６２０と前記把持部１００の団扇着脱磁石１２０との強力な磁力で着脱自在に固着することができる。【００３２】  図４も参照して、取付手段６１０は、左右対称に欠切された団扇円端の両方に、前記把持体１００の蟻溝部１３０と係合させる挿着部６３０を形成して構成している。これにより団扇部６００を前記把持体１００に着脱自在で固着させることができる。【００３３】  図５も参照して、取付手段６１０は、左右対称に欠切された団扇円端の両方に、前記把持体１００の凹部板１４０と嵌着させる突起板６４０を形成して構成している。これにより団扇部６００を前記把持体１００に着脱自在で固着させることができる。【００３４】  団扇面６０１は、その表面に広告や写真などの印刷を可能として取り付けることができる。それにより、企業や団体などの広告販促商品や、キャンペーンＰＲなどに用いることができる。【００３５】  団扇面６０１は、把持部１００と一体で構成することもできる。【００３６】  図２を参照して、前記団扇形ミスト付携帯扇風機１は、上記のような構成により、前記把持体１００の頭部に設けた回動スイッチ１０４を入りにすれば、外部正面に設けられた前記羽根４００が回動して電動での涼しい扇風を得ることができる。又、把持体１００に取り付けた団扇部６００を手で扇ぐことで優しい風を得ることができる。更に、前記把持体１００の内部にミスト部５００を設けたので、前記ミストポンプレバー５１０のレバー部５１１を押下することでミストを噴霧して冷気を送風することができる。
また、図３〜図５を参照して、団扇形ミスト付携帯扇風機１は、団扇部６００を着脱自在に構成したので、携帯時に該団扇部６００を取り除き、把持部１００と団扇部６００とを別々に分解して小さく収納して携帯することができる。
【符号の説明】
【００３６】    １    団扇形ミスト付携帯扇風機
１００    把持体
１０１    ミスト噴霧孔
１０２    水槽
１０３    給水蓋
１０４    回動スイッチ
１１０    取付手段
１２０    団扇着脱磁石
１３０    蟻溝部
１４０    凹部板
２００    駆動部
２０１    モーター
２０２    回動軸
３００    電源部
３１０    乾電池
３１１    電池ホルダー
３１２    電池蓋
４００    羽根
５００    ミスト部
５１０    ミストポンプレバー
５１１    レバー部
５１２    ミストノズル
６００    団扇部
６０１    団扇面
６１０    取付手段
６２０    団扇円端磁石
６３０    挿着部
６４０    突起板
Ａ      噴霧角度
Ｄ      噴霧距離
Ｍ      ミスト
【図１】
0003175612.tif 000003
【図２】
0003175612.tif 000004
【図３】
0003175612.tif 000005
【図４】
0003175612.tif 000006
【図５】
0003175612.tif 000007
【図６】
0003175612.tif 000008